(57)【特許請求の範囲】
【請求項１】
無線端末と通信するための無線通信部と、
有線接続ポートと、
サービスのために、無線通信におけるサービス識別子と、対応するＶＬＡＮ識別子と、ＩＰアドレスと、の対応を所定のメモリに記録する設定テーブルと、
前記設定テーブルに基いて、前記無線端末との通信ではそのサービス識別子に対応するＩＰアドレスを用いるとともに、無線端末側のＩＰアドレス又はサービス識別子と前記有線接続ポート側のＶＬＡＮ識別子との相互変換を行う、制御手段と、
を備えた無線ＬＡＮアクセスポイントにおいて、
前記制御手段は、前記サービスのための前記ＶＬＡＮ識別子とは別に、設定用に用いる所定の共通のＶＬＡＮ識別子及びＩＰアドレスを対応付けるとともに、前記共通のＶＬＡＮ識別子によるアクセスから無線ＬＡＮアクセスポイントの設定を受け付け、
前記サービスのための又は共通の前記ＶＬＡＮ識別子同士が同じ値を取ったときに、それら同じ値の各ＶＬＡＮ識別子について、異なるＩＰアドレスの設定を持つことを禁止する規制手段を、前記制御手段が備えることを特徴とする無線ＬＡＮアクセスポイント。
【請求項２】
複数のサービス識別子に対し、同一のＶＬＡＮ識別子を割り当てることを特徴とする請求項１の無線ＬＡＮアクセスポイント。
【請求項３】
無線端末と通信するための無線通信部と、有線接続ポートと、を備え、
サービスのために、無線通信におけるサービス識別子と、対応するＶＬＡＮ識別子と、ＩＰアドレスと、の対応を所定のメモリに記録する設定テーブルを用い、
前記設定テーブルに基いて、前記無線端末との通信ではそのサービス識別子に対応するＩＰアドレスを用いるとともに、無線端末側のＩＰアドレス又はサービス識別子と前記有線接続ポート側のＶＬＡＮ識別子との相互変換を行う、制御処理を含む無線ＬＡＮアクセスポイントを用いたＩＰアドレスの管理方法において、
前記制御処理は、前記サービスのための前記ＶＬＡＮ識別子とは別に、設定用に用いる所定の共通のＶＬＡＮ識別子及びＩＰアドレスを対応付けるとともに、前記共通のＶＬＡＮ識別子によるアクセスから無線ＬＡＮアクセスポイントの設定を受け付け、
前記サービスのための又は共通の前記ＶＬＡＮ識別子同士が同じ値を取ったときに、それら同じ値の各ＶＬＡＮ識別子について、異なるＩＰアドレスの設定を持つことを禁止する規制処理を、前記制御処理が含むことを特徴とする無線ＬＡＮアクセスポイントを用いたＩＰアドレスの管理方法。
【請求項４】
複数のサービス識別子に対し、同一のＶＬＡＮ識別子を割り当てることを特徴とする請求項３に記載の無線ＬＡＮアクセスポイントを用いたＩＰアドレスの管理方法。
【請求項５】
無線端末と通信するための無線通信部と、有線接続ポートと、制御部と、を備え、
サービスのために、無線通信におけるサービス識別子と、対応するＶＬＡＮ識別子と、ＩＰアドレスと、の対応を所定のメモリに記録する設定テーブルを用い、
前記設定テーブルに基いて、前記無線端末との通信ではそのサービス識別子に対応するＩＰアドレスを用いるとともに、無線端末側のＩＰアドレス又はサービス識別子と前記有線接続ポート側のＶＬＡＮ識別子との相互変換を行う、制御処理を前記制御部に行なわせ
る無線ＬＡＮアクセスポイントを用いたＩＰアドレスの管理プログラムにおいて、
前記制御処理は、前記サービスのための前記ＶＬＡＮ識別子とは別に、設定用に用いる所定の共通のＶＬＡＮ識別子及びＩＰアドレスを対応付けるとともに、前記共通のＶＬＡＮ識別子によるアクセスから無線ＬＡＮアクセスポイントの設定を受け付け、
前記サービスのための又は共通の前記ＶＬＡＮ識別子同士が同じ値を取ったときに、それら同じ値の各ＶＬＡＮ識別子について、異なるＩＰアドレスの設定を持つことを禁止する規制処理を、前記制御処理が含むことを特徴とする無線ＬＡＮアクセスポイントを用いたＩＰアドレスの管理プログラム。
【請求項６】
複数のサービス識別子に対し、同一のＶＬＡＮ識別子を割り当てることを特徴とする請求項５記載の無線ＬＡＮアクセスポイントを用いたＩＰアドレスの管理プログラム。
【発明の詳細な説明】
【技術分野】
【０００１】
本発明は、単一の無線ＬＡＮアクセスポイントにおいて、複数組のサービス識別子、ＩＰアドレス、ＶＬＡＮ識別子を、相互に対応付けする処理により、同時並行的に利用可能にする技術に関する。
【背景技術】
【０００２】
近年、インターネットを中心とするネットワーク技術の発展に伴い、ケーブル引廻しによる場所的制約や負担を軽減する無線ＬＡＮが普及してきている。無線ＬＡＮの構築では、無線ＬＡＮアクセスポイントが用いられる。１台の無線ＬＡＮアクセスポイントにおいてグループ分けを行い、複数の各グループに属する無線ＬＡＮ端末群を、１台の無線ＬＡＮアクセスポイントの下に同時並行的に接続できるようにした無線ＶＬＡＮシステムを持つものもある（特許文献１参照）。
【特許文献１】特開２００４−２３３６６
【発明の開示】
【発明が解決しようとする課題】
【０００３】
しかし、上記のような従来の無線ＶＬＡＮシステムでは、１台の無線ＬＡＮアクセスポイントで複数のグループ分けを行い、グループごとにサービスを行うことはできるが、ＩＰアドレスは１つしか持たず、全てのサービスは同一ネットワーク内での提供に限られた。ここでいうＩＰアドレス「１つ」というのは、典型的には、デフォルトゲートウェイとなるアクセスポイント自身のＩＰアドレスと、同じサブネットに属し各無線端末に割り当てられる各ＩＰアドレス群と、を含むプライベートアドレス空間である。
【０００４】
サービス提供事業者が提供する実際のサービスについては、サービス提供事業者ごとにアドレス体系（例えばＩＰアドレスの数値範囲やサブネットマスクのビット数など。条件によってはプライマリやセカンダリのＤＮＳのアドレス等も含む）が異なる。このため、従来のＶＬＡＮシステムでは対応することができず、サービス提供事業者ごとに無線ＬＡＮアクセスポイントを設置しなければならないという問題点があった。
【０００５】
また無線ＬＡＮアクセスポイントを複数設置する際には、相互に電波干渉しないように、各無線ＬＡＮアクセスポイントに異なるチャネルを設定しなければならず、その負担や、チャネル数の限界といったチャネル割り当てに関する問題点もあった。
【０００６】
本発明は、上記のような課題を解決するもので、その目的は、単一の無線ＬＡＮアクセスポイントにおいて、複数組のサービス識別子、ＩＰアドレス、ＶＬＡＮ識別子を、相互に対応付けする処理により、同時並行的に利用可能にすることである。
【課題を解決するための手段】
【０００７】
上記の目的を達成するため、請求項１の無線ＬＡＮアクセスポイントは、無線端末と通信するための無線通信部と、有線接続ポートと、サービスのために、無線通信におけるサービス識別子と、対応するＶＬＡＮ識別子と、ＩＰアドレスと、の対応を所定のメモリに記録する設定テーブルと、前記設定テーブルに基いて、前記無線端末との通信ではそのサービス識別子に対応するＩＰアドレスを用いるとともに、無線端末側のＩＰアドレス又はサービス識別子と前記有線接続ポート側のＶＬＡＮ識別子との相互変換を行う、制御手段と、を備え、前記制御手段は、前記サービスのための前記ＶＬＡＮ識別子とは別に、設定用に用いる所定の共通のＶＬＡＮ識別子及びＩＰアドレスを対応付けるとともに、前記共通のＶＬＡＮ識別子によるアクセスから無線ＬＡＮアクセスポイントの設定を受け付け、前記サービスのための又は共通の前記ＶＬＡＮ識別子同士が同じ値を取ったときに、それら同じ値の各ＶＬＡＮ識別子について、異なるＩＰアドレスの設定を持つことを禁止する規制手段を、前記制御手段が備えることを特徴とする。
【０００８】
請求項３の無線ＬＡＮアクセスポイントを用いたＩＰアドレスの管理方法は、請求項１の発明を方法という見方から捉えたもので、無線端末と通信するための無線通信部と、有線接続ポートと、サービスのために、無線通信におけるサービス識別子と、対応するＶＬＡＮ識別子と、ＩＰアドレスと、の対応を所定のメモリに記録する設定テーブルを用い、前記設定テーブルに基いて、前記無線端末との通信ではそのサービス識別子に対応するＩＰアドレスを用いるとともに、無線端末側のＩＰアドレス又はサービス識別子と前記有線接続ポート側のＶＬＡＮ識別子との相互変換を行う、制御処理を含む無線ＬＡＮアクセスポイントを用いたＩＰアドレスの管理方法において、前記制御処理は、前記サービスのための前記ＶＬＡＮ識別子とは別に、設定用に用いる所定の共通のＶＬＡＮ識別子及びＩＰアドレスを対応付けるとともに、前記共通のＶＬＡＮ識別子によるアクセスから無線ＬＡＮアクセスポイントの設定を受け付け、
前記サービスのための又は共通の前記ＶＬＡＮ識別子同士が同じ値を取ったときに、それら同じ値の各ＶＬＡＮ識別子について、異なるＩＰアドレスの設定を持つことを禁止する規制処理を、前記制御処理が含むことを特徴とする無線ＬＡＮアクセスポイントを用いたＩＰアドレスの管理方法。
【０００９】
請求項５の無線ＬＡＮアクセスポイントを用いたＩＰアドレスの管理プログラムは、請求項１，３の発明をコンピュータプログラムという見方から捉えたもので、無線端末と通信するための無線通信部と、有線接続ポートと、制御部と、を備えた無線ＬＡＮアクセスポイントを用い、サービスのために、無線通信におけるサービス識別子と、対応するＶＬＡＮ識別子と、ＩＰアドレスと、の対応を所定のメモリに記録する設定テーブルを用い、
前記設定テーブルに基いて、前記無線端末との通信ではそのサービス識別子に対応するＩＰアドレスを用いるとともに、無線端末側のＩＰアドレス又はサービス識別子と前記有線接続ポート側のＶＬＡＮ識別子との相互変換を行う、制御処理を前記制御部に行なわせ、前記制御処理は、前記サービスのための前記ＶＬＡＮ識別子とは別に、設定用に用いる所定の共通のＶＬＡＮ識別子及びＩＰアドレスを対応付けるとともに、前記共通のＶＬＡＮ識別子によるアクセスから無線ＬＡＮアクセスポイントの設定を受け付け、前記サービスのための又は共通の前記ＶＬＡＮ識別子同士が同じ値を取ったときに、それら同じ値の各ＶＬＡＮ識別子について、異なるＩＰアドレスの設定を持つことを禁止する規制処理を、前記制御処理が含むことを特徴とする。
【００１０】
このように、ひとつのケーブル接続を持つ一台の無線ＬＡＮアクセスポイントが、無線端末からの接続におけるサービス識別子ごとに、予め対応付けたＩＰアドレスやＶＬＡＮ識別子の適用等の処理を行うことにより、互いにアドレス体系の異なる複数のサービスを同じ場所や同じチャネル（周波数帯）で電波干渉無く効率よく実施可能となる。
また、サービスのためのＶＬＡＮのグループとは別に、所定の共通ＶＬＡＮ識別子及びＩＰアドレスで、設定テーブルの内容など設定を集中的に受け付けることにより、無線ＬＡＮアクセスポイントの設定が容易になる。
さらに、同一のＶＬＡＮグループすなわちネットワーク内では必ず単一のアドレス体系を扱うことにより、異常なネットワーク設定を抑制しつつ、複数のサービスも扱い可能となる。
【００１５】
請求項２の発明は、請求項１記載の無線ＬＡＮアクセスポイントにおいて、複数のサービス識別子に対し、同一のＶＬＡＮ識別子を割り当てることを特徴とする。
【００１６】
請求項４の発明は、請求項２の発明を方法という見方から捉えたもので、請求項３記載の無線ＬＡＮアクセスポイントを用いたＩＰアドレスの管理方法において、複数のサービス識別子に対し、同一のＶＬＡＮ識別子を割り当てることを特徴とする。
【００１７】
請求項６の発明は、請求項２，４の発明をコンピュータプログラムという見方から捉えたもので、請求項５記載の無線ＬＡＮアクセスポイントを用いたＩＰアドレスの管理プログラムにおいて、複数のサービス識別子に対し、同一のＶＬＡＮ識別子を割り当てることを特徴とする。
【００１８】
このように、複数のサービス識別子を同じＶＬＡＮグループに割り当てることにより、同じアドレス体系で異なる複数のサービスを同時並行的に実施可能となる。
【発明の効果】
【００２３】
以上のように、本発明によれば、単一の無線ＬＡＮアクセスポイントにおいて、複数組のサービス識別子、ＩＰアドレス、ＶＬＡＮ識別子を、相互に対応付けする処理により、同時並行的に利用可能となる。
【発明を実施するための最良の形態】
【００２４】
次に、本発明の無線アクセスポイント（以下、符号を兼ねて「ＡＰ」と表す）を実施するための最良の実施形態（以下「本実施形態」と呼ぶ）について図を参照して説明する。なお、背景技術や課題で既に説明した内容と共通の前提事項は繰り返さない。
【００２５】
〔１．構成〕
本実施形態は、本ＡＰを用いて、互いに異なる複数のＩＰアドレス群を同時並行的に活用するシステム（マルチＩＰシステム）であり、その構成例を図１に示す。すなわち、本ＡＰは、無線端末と通信するための無線通信部Ｗと、有線接続ポートＬと、所定のメモリに記録した設定テーブルＴと、この設定テーブルＴに基いて無線通信部Ｗの制御を含む情報処理を行う制御部Ｃと、を備え、有線接続ポートＬにはスイッチングハブ（以下、符号を兼ねて「ＳＷ」と表す）を接続する。
【００２６】
設定テーブルＴは、図２に示すように、無線端末側で異なるサービスごとに用いる３つのサービス識別子と、これら各サービス識別子に対応しＳＷ側についてＶＬＡＮのグループを識別する各ＶＬＡＮ識別子と、各ＶＬＡＮ識別子すなわちＶＬＡＮのグループごとに対応して割り当てて用いるアクセスポイントのＩＰアドレスならびにＭＡＣアドレスと、を組にして相互に対照するものである。
【００２７】
また、この設定テーブルは、同様に、本ＡＰの設定受付用に用いる共通のＶＬＡＮに対応するものとして、所定のサービス識別子（共通サービス識別子とも呼び、図２中で「（共通）」と表す）と、これに対応する所定の共通のＶＬＡＮ識別子（共通ＶＬＡＮ識別子とも呼ぶ）“１０”と、ＩＰアドレス（共通ＩＰアドレスとも呼ぶ）「192.168.1.1」ならびにＭＡＣアドレス「xx-xx-xx-xx-xx-00」と、を対応させている。
【００２８】
各サービス識別子は、少なくとも一台以上の無線端末の接続に用いる。例えば、
サービス識別子「ＶＡＰ１」  ：  無線端末ａ
サービス識別子「ＶＡＰ２」  ：  無線端末ｂ
サービス識別子「ＶＡＰ３」  ：  無線端末ｃ
のように接続する。
【００２９】
また、本ＡＰの有線側である有線接続ポートＬは、ＩＥＥＥ８０２．３（イーサネット（商標））の接続ポートと単一のＬＡＮケーブルにより、ＳＷのＬＡＮポートの一つ（「ＡＰ側ポート」と呼ぶ）に接続され、このＳＷでは、他の各ポートに異なるＶＬＡＮ識別子を設定する。この設定内容としては、例えば、ポート１は共通のＶＬＡＮと同一のＶＬＡＮ識別子“１０”を設定し、ポート２にはサービス識別子「ＶＡＰ１」と同一のＶＬＡＮ識別子“２１”を設定、といった具合であり、次のように、それぞれ、対応する認証サーバなどを接続する。
ポート１  ：  ＶＬＡＮ識別子“１０”  ：  ＡＰ用の設定端末
ポート２  ：  ＶＬＡＮ識別子“２１”  ：  認証サーバＡ（Ａ社）
ポート３  ：  ＶＬＡＮ識別子“２２”  ：  認証サーバＢ（Ｂ社）
ポート４  ：  ＶＬＡＮ識別子“２３”  ：  認証サーバＣ（Ｃ社）
【００３０】
〔２．作用効果〕
〔２−１．基本的作用〕
以上のような本実施形態では、ＡＰの制御部Ｃ（制御手段）が、設定テーブルＴに基いて、各無線端末ａ，ｂ，ｃとの通信ではそれぞれのサービス識別子に対応するＩＰアドレス群を用いるとともに、これら無線端末側のＩＰアドレス又はサービス識別子と有線接続ポートＬ側（ＳＷ側）のＶＬＡＮ識別子との相互変換を行う（制御処理）。
【００３１】
例えば、無線端末ａがサービス識別子「ＶＡＰ１」でＡＰへ接続すると、ＡＰの設定テーブルＴ（図２）では、このサービス識別子「ＶＡＰ１」に対し、ＶＬＡＮ識別子“２１”のグループと、ＩＰアドレス「162.16.1.1」が対応している。
【００３２】
このため、このサービス識別子「ＶＡＰ１」を用いる無線端末ａに対しては、ＡＰ自身はＩＰアドレス「162.16.1.1」として動作するとともに、例えばＤＨＣＰ機能により無線端末ａにＩＰアドレスを割り当て（リース）するときは、自身のＩＰアドレス「162.16.1.1」と同じサブネット内の例えば「162.16.1.10」を割り当てる。この無線端末ａとのパケットは、設定テーブルＴ（図２）にしたがい、ＳＷのＶＬＡＮ識別子２１（ポート２）にあたるＡ社の認証サーバＡと転送仲介される。
【００３３】
また、例えば、無線端末ｂの用いるサービス識別子「ＶＡＰ２」については、ＶＬＡＮ識別子“２２”が対応している。したがって、Ｂ社のサービス専用の認証サーバＢをＳＷのポート３に設置したとすると、無線端末ｂからの認証要求パケットを受信したＡＰは、対応するＩＰアドレス「172.16.1.1」として動作し、この認証要求パケットにＶＬＡＮ識別子“２２”の情報を追加してＳＷに接続された認証サーバＢに宛てて転送する。
【００３４】
この転送を受けたＳＷでは、認証サーバＢが接続しているポート３にＶＬＡＮ識別子“２２”というグループ設定を事前に行っておくことにより、ＡＰから転送されてきたＶＬＡＮ識別子“２２”を持つ要求パケットを識別して、ポート３の認証サーバＢへ転送する。これにより、ＡＰを経て、サービス識別子「ＶＡＰ２」に対応する認証サーバＢによって無線端末ｂの認証を行い、接続が許可されている端末であれば、通信を開始する。
【００３５】
このように、ひとつのケーブル接続を持つ一台のＡＰが、無線端末からの通信接続における各サービス識別子ごとに対して、予め対応付けたＩＰアドレスの適用やＶＬＡＮ識別子の追加などの処理を行うことにより、複数のサービス提供事業者が提供するような、互いにアドレス体系の異なる複数のサービスを同じ場所やチャネル（周波数帯）で電波干渉無く効率よく実施可能となる。
【００３６】
特に、各無線端末からすれば、送信パケットに特定のサービス識別子を用いた接続により、目的のＶＬＡＮ識別子による所望のネットワークに自動的に所属し通信することが可能となるので、ＡＰが持つ他のグループを意識する必要がなく、通信の設定や処理が容易になる。
【００３７】
〔２−２．ＡＰの設定〕
設定テーブルＴの内容をどのように設定するかは自由であるが、上記のようにＡＰにおいて、各サービスのための各ＶＬＡＮ識別子とは別に、設定用に用いる所定の共通ＶＬＡＮ識別子及び共通ＩＰアドレスを相互に対応付け、また、ＳＷにおいても、例えば、前記共通ＶＬＡＮ識別子に対応するＶＬＡＮ識別子（例えば“１０”）をポート１に事前に設定する。
【００３８】
そのうえで、このポート１に接続した所定の設定用端末ｄ（例えば「192.168.1.10」）から、前記共通ＶＬＡＮ識別子“１０”により前記共通ＩＰアドレス（例えば「192.168.1.1 」）にアクセスし、ＡＰの制御部ＣがこのアクセスからＡＰの設定テーブルＴの内容など、設定を集中的に受け付けることにより、全てのサービスについてＡＰの設定が容易になる。
【００３９】
〔２−３．処理手順の例〕
次に、ＡＰがパケットを受け取って送り出す処理手順の概要を図３のフローチャートに示す。また、図４は、ＡＰにおいて、各サービス識別子と無線端末のＭＡＣアドレスを対応させているＭＡＣアドレステーブルの概要を例示する図である。
【００４０】
図３の処理手順では、ＡＰがパケットを受信したとき（ステップ１）、はじめに受信したパケットにＶＬＡＮ識別子が付加されているかどうかを確認し（ステップ２）、ＶＬＡＮ識別子が付加されていなかったとき、このパケットは無線端末から送られてきたと判断できるので、受信したパケットの送信元ＭＡＣアドレスを確認し（ステップ３）、ＭＡＣアドレステーブル（図４）及び設定テーブル（図２）に基づき、その送信元ＭＡＣアドレスが属するサービス識別子の情報を得て、そのサービス識別子のＶＬＡＮ識別子を確認し受信パケットに付加したうえ（ステップ４）、送信元ＭＡＣアドレスが属するサービス識別子のＩＰアドレスから、認証サーバなど送信先のＭＡＣアドレスへパケットを送信する（ステップ５）。
【００４１】
一方、ステップ２において、ＶＬＡＮ識別子が付加されていたとき、このパケットは、例えば該当するサービスの認証サーバやメールサーバ、中継サーバなどから、ＳＷを経由してきたと判断できるので、受信したパケットの送信先ＭＡＣアドレスを確認し（ステップ６）、ＭＡＣアドレステーブル（図４）及び設定テーブルＴに基き、この送信先ＭＡＣアドレスが属するサービス識別子やＩＰアドレスの情報を得て（ステップ７）、受信したパケットに付加されているＶＬＡＮ識別子を削除し、送信先ＭＡＣアドレスが属するサービス識別子のＩＰアドレスから、送信先ＭＡＣアドレスへパケットを送信する（ステップ８）。
【００４２】
〔３．異なるサービス識別子によるＶＬＡＮ識別子の共有〕
また、ＡＰにおいて、複数のサービス識別子について同じＶＬＡＮ識別子を対応付けて設定するようにすれば、複数のサービスを、同じアドレス体系の同一ネットワーク内に存在させ同時並行的に実施することが可能となる。
【００４３】
図５は、本ＡＰにおいて、このように２つのサービスを同一のグループに設定する例を示し、この場合のＡＰにおける設定テーブルの概要を図６に例示する。図５では、ＡＰは、ＩＥＥＥ８０２．１１ａ（以下「１１ａ」と表す）とＩＥＥＥ８０２．１１ｇ（以下「１１ｇ」と表す）の２つの無線インターフェースＷａ，Ｗｇを持ち、１１ｇのインターフェースＷｇには、２つのサービス識別子「ＶＡＰ−Ｇ１」、「ＶＡＰ−Ｇ２」、１１ａについて１つのサービス識別子「ＶＡＰ−Ａ１」を持つ。
【００４４】
これら３つのサービスのうち、サービス識別子「ＶＡＰ−Ｇ１」と「ＶＡＰ−Ａ１」の２つのサービスのＶＬＡＮ識別子を同じ値とし、また、サービス識別子「ＶＡＰ−Ｇ２」は、共通ＶＬＡＮ識別子と同じ値を対応付ける。
【００４５】
この状態で、一台の無線端末ｃ２が、当初、サービス識別子「ＶＡＰ−Ｇ１」でＡＰに接続するが、この無線端末ｃ２は、１１ａと１１ｇの２つの規格に対応している。
【００４６】
この場合、図５のように、あるサービス提供事業者が同じサービスを２つの通信規格で同時並行的に提供し、１１ａはサービス識別子「ＶＡＰ−Ａ１」、１１ｇはサービス識別子「ＶＡＰ−Ｇ１」を用いながら、図６のように両サービス識別子で同じＶＬＡＮ識別子を設定することにより、２つの規格に対応した無線端末ｃ２の利用者は、ネットワークを意識せずに通信状況の良い方を選択し、例えばサービス識別子「ＶＡＰ−Ｇ１」で通信が不十分なときは「ＶＡＰ−Ａ１」に変更して試みるなど、２つの規格を利用することができる。
【００４７】
但し、複数のサービスは、同じＶＬＡＮグループ内に存在するときには、必ず同一のネットワーク内に存在しなければ問題が生じる。このため、制御部Ｃが規制手段として、同じ値の各ＶＬＡＮ識別子間では異なるＩＰアドレスの設定を禁止して検出し、検出時には設定画面にエラー表示し再設定を要求するなどの規制処理を行う。この規制は、一般のサービス用のＶＬＡＮ識別子と共通ＶＬＡＮ識別子との間にも適用する。
【００４８】
例えば、図６では、サービス識別子［ＶＡＰ−Ｇ１］と［ＶＡＰ−Ａ１］は、同一のＶＬＡＮ識別子の値を持ち、同じグループに属する。この場合、ＩＰアドレスは異なる値を設定することを禁止し、同一のＩＰアドレス「182.16.1.1」とする。また、共通ＶＬＡＮとサービス識別子［ＶＡＰ−Ｇ２］のＶＬＡＮ識別子の値を等しく設定したときにも、異なるＩＰアドレスの設定を禁止し「192.168.1.1 」に統一する。
【００４９】
このように、同一のＶＬＡＮグループすなわちネットワーク内では必ず単一のアドレス体系を扱うことにより、異常なネットワーク設定を抑制しつつ、複数のサービスも扱い可能となる。
【００５０】
〔４．他の実施形態〕
なお、上記実施形態は概要的例示に過ぎず、本発明を限定するものではないので、本発明は、以下に例示するもの及びそれ以外を含め、他の実施形態も包含するものである。例えば、上記実施形態に示した構成、処理手順、データ内容などは適宜変更実施可能であり、例えば、ＳＷに接続するのは設定用端末や認証サーバには限定されず、外部ＷＡＮ回線との接続ゲートウェイなど自由である。
【図面の簡単な説明】
【００５１】
【図１】本発明の実施形態の構成を示す図。
【図２】本発明の実施形態における設定テーブルを例示する図。
【図３】本発明の実施形態におけるＡＰによるパケットの処理手順を示す図。
【図４】本発明の実施形態において、各サービス識別子と、対応する無線端末のＭＡＣアドレスを対応させたＭＡＣアドレステーブルを例示する図。
【図５】本発明の他の一実施形態を示す図。
【図６】図５に対応する設定テーブルを例示する図。
【符号の説明】
【００５２】
ＡＰ…無線ＬＡＮアクセスポイント
Ｗ…無線接続部
Ｔ…設定テーブル
Ｃ…制御部
Ｌ…有線接続ポート
ＳＷ…スイッチングハブ
ａ，ｂ，ｃ…無線端末
ｄ…設定用端末
Ａ，Ｂ，Ｃ…各社の認証サーバ
【図１】
0004825501.tif 000002
【図２】
0004825501.tif 000003
【図３】
0004825501.tif 000004
【図４】
0004825501.tif 000005
【図５】
0004825501.tif 000006
【図６】
0004825501.tif 000007